(57)【特許請求の範囲】
【請求項１】
ハニカム状に集合された紙製の連続集合鉢の両側に紙層および生分解性プラスチック層からなるラベルが貼着されている連続集合鉢体であって、前記ラベルが、外側紙層の内側面に形成する熱融着性の生分解性プラスチック層と、連続集合鉢と貼着する内側紙層の外側面に形成する熱融着性の生分解性プラスチック層とが部分的な熱融着部により接着していることを特徴とする連続集合鉢体。
【請求項２】
前記ラベルの外側紙層の内側面に形成する生分解性プラスチック層と、内側紙層の外側面に形成する生分解性プラスチック層との熱融着部の接着強度が０．８ｋｇ／１５ｍｍ幅以上であることを特徴とする、請求項１記載の連続集合鉢体。
【発明の詳細な説明】
【０００１】
【産業上の利用分野】
本発明は、野菜や花などの苗作りとその苗の植付けに使用する連続集合鉢体に関するものである。
【０００２】
【従来の技術】
最近、ネギ、ほうれん草や菊などは、作業の能率化を計るため、連続集合鉢体による苗作りと簡易移植器による植付けが広く行われている。この方法は、ハニカム状に集合された紙製の連続集合鉢の両側にラベルが貼着されている連続集合鉢体を、展開板にセットし、床土をつめて箱をかぶせて反転したのち、展開板を外して、形成された鉢の播種穴に種を所定数ずつ播種器で播きて育苗し、苗が育った連続集合鉢体は、溝切り、植付け、培土が一作動でできる簡易移植器に装填して、連続鉢を一個ずつ引き出しながら、鉢ごと苗を田畑に植え付けるものであった。
【０００３】
【発明が解決しようとする課題】
しかしながら、連続集合鉢の両側に貼着されたラベルは、表示の目的のほかに、展開板に連続集合鉢体をセットする目的をもつため、外側紙層の内側面に形成する熱融着性プラスチック（通常、ポリエチレン）層と、連続集合鉢と貼着する内側紙層の外側面に形成する熱融着性プラスチック（通常、ポリエチレン）層とが部分的な熱融着部により接着されており、この未接着部に展開板の固定治具を差し込んで展開板に連続集合鉢を固定していた。ところで、ポリエチレンのような熱融着性プラスチックは、土中に埋設されると、分解されずにいつまでも残るため、土中に溜まって苗の育成を阻害したり、次回の耕耘時に耕耘機に絡まって事故を発生することなどがあった。このため、植付け時に、ラベルは、田畑に埋設しないように排除する手間が必要であった。
【０００４】
本発明は、従来の連続集合鉢体を用いた植付け時のラベルを田畑に埋設しないように排除する煩わしさを解決したものであり、ラベルをそのまま土中に埋設してもよく、ラベルの廃棄処理が容易な連続集合鉢体を提供するものである。
【０００５】
【課題を解決するための手段】
本発明の第１の発明は、図１（ａ）及び（ｂ）に示すように、ハニカム状に集合された紙製の連続集合鉢（１００）の両側にラベル（２００）が貼着されている連続集合鉢体（１０）において、前記ラベル（２００）が、図１（ｃ）及び（ｄ）に示すように、外側紙層（２１０）の内側面に形成する熱融着性の生分解性プラスチック層（２１１）と、連続集合鉢と貼着する内側紙層（２２０）の外側面に形成する熱融着性の生分解性プラスチック層（２２１）とが部分的な熱融着部（２３０）により接着していることを特徴とする連続集合鉢体である。
【０００６】
請求項２記載の発明は、前記連続集合鉢体において、前記ラベルの外側紙層の内側面に形成する生分解性プラスチック層と、内側紙層の外側面に形成する生分解性プラスチック層との熱融着部の接着強度が０．８ｋｇ／１５ｍｍ幅以上であることを特徴とする。
【０００７】
上述の生分解性プラスチック層としては、３−ヒドロキシ酪酸と３−ヒドロキシ吉草酸の共重合体で直鎖のポリエステル層や、３−ヒドロキシ酪酸と３−ヒドロキシ吉草酸の共重合体１００重量部に対して、ポリε−カプロラクトン１０〜３００重量部を配合した樹脂層などが使用できる。
【０００８】
連続集合鉢は、短冊状の紙を複数枚、一定間隔にストライプ状に設けた接着剤層により接着したもので、展開した時に個々の鉢がハニカム状に連なるように形成されたものである。このような集合鉢は、例えば特公昭５５−３０８０５号に記載されている。なお、この集合体は展開する前は四角柱状である。
また、ラベルと連続集合鉢との貼着する方法には特に制限はないが、連続集合鉢の端部もハニカム状になるようにストライプ状に接着剤をラベルの内側紙層の内側面に塗布して接着する。
【０００９】
また、ラベルの外側紙層の外側面には、必要に応じて、文字や絵柄などを印刷してもよい。
【００１０】
【作用】
本発明の連続集合鉢体は、ラベルを構成する材質が紙と生分解性プラスチックとからなるため、ラベルが土中に埋設されても、土中で分解され、土中に溜まって苗の育成を阻害したり、耕耘時に耕耘機に絡まって事故を発生することなどがない。
【００１１】
また、請求項２記載の連続集合鉢体は、ラベルの外側紙層の内側面に形成する生分解性プラスチック層と、内側紙層の外側面に形成する生分解性プラスチック層との熱融着部の接着強度が０．８ｋｇ／１５ｍｍ幅以上であるため、図１（ｄ）に示すラベル（２００）の未接着部（２４０）に展開板の固定治具を差し込んで連続集合鉢体を展開して展開板に固定するときに、ラベルの強度不足によってラベルが破損するような危惧がない。
【００１２】
【実施例】
まず、３−ヒドロキシ吉草酸の含有率が１０％で厚さ２０μｍの３−ヒドロキシ酪酸・３−ヒドロキシ吉草酸共重合ポリエステル（生分解性プラスチック）と、厚さ２０μｍのポリエチレンとを共押出機で共押し出しし、この３−ヒドロキシ酪酸・３−ヒドロキシ吉草酸共重合ポリエステル（生分解性プラスチック）面を坪量３５０ｇ／ｍ２  のクラフト紙にラミネートして、ポリエチレン層／３−ヒドロキシ酪酸・３−ヒドロキシ吉草酸共重合ポリエステル（生分解性プラスチック）層／紙層構成の積層体を得た。次に、この積層体のポリエチレン層を剥離して、３−ヒドロキシ酪酸・３−ヒドロキシ吉草酸共重合ポリエステル（生分解性プラスチック）層／紙層構成の積層体を得た。この積層体の３−ヒドロキシ酪酸・３−ヒドロキシ吉草酸共重合ポリエステル（生分解性プラスチック）層面を重ね合わせて、所定の位置をヒートシール法で部分的な熱融着部を形成して接着し、所定寸法に切断して、図１（ｃ）及び（ｄ）に示す外側紙層（２１０）／生分解性プラスチック層（２１１）／部分熱融着部（２３０）／生分解性プラスチック層（２２１）／内側紙層（２２０）構成のラベル（２００）を作製した。そして、このラベル（２００）を、図１（ａ）及び（ｂ）に示すように、ハニカム状に集合された紙製の連続集合鉢（１００）の両側に接着剤で貼着して、本実施例の連続集合鉢体（１０）を作製した。なお、ラベルの外側紙層の外側面には文字を印刷した。
【００１３】
次に、本実施例の連続集合鉢体を、ラベルの未接着部に展開板の固定治具を差し込んで展開板にセットし、床土をつめて箱をかぶせて反転したのち、展開板を外して、形成された鉢の播種穴にネギの種を３粒ずつ播種器で播きて育苗した。なお、ラベルの熱融着部の接着強度は、１．０ｋｇ／１５ｍｍ幅と強く、連続集合鉢体を展開板にセットするとき、ラベルの熱融着部が剥離する危惧は全く感じなかった。一方、別途に、比較のため、外側紙（坪量３５０ｇ／ｍ２  のクラフト紙）層／２０μｍ厚ポリエチレン層／部分熱融着部／２０μｍ厚ポリエチレン層／内側紙（坪量３５０ｇ／ｍ２  のクラフト紙）層構成のラベル（２００）を作製し、このラベルを貼着した従来の連続集合鉢体を作製したが、ラベルの熱融着部の接着強度は、０．７３ｋｇ／１５ｍｍ幅であり、連続集合鉢体を展開板にセットするとき、ラベルの熱融着部の一部に剥離がみられた。
【００１４】
次に、苗が育った本実施例の連続集合鉢体を、簡易移植器に装填し、連続鉢を一個ずつ引き出しながら、連続鉢及びラベルごと苗を田畑に植え付けた。この植付け作業においては、ラベルを排除する手間がなく、効率的であった。なお、本実施例のラベルの生分解性プラスチック層は、土中では約６か月で分解した。
【００１５】
【発明の効果】
本発明の連続集合鉢体を用いると、植付け時にラベルをそのまま土中に埋設してもよく、ラベルの廃棄処理が容易となり、植付け作業の効率が向上する。
【００１６】
また、ラベルの熱融着部の接着強度が、０．８ｋｇ／１５ｍｍ幅以上と強く、連続集合鉢体を展開板にセットするとき、ラベルの熱融着部が剥離する危惧がない。
【図面の簡単な説明】
【図１】（ａ）は、連続集合鉢体の側面図であり、（ｂ）は、その平面図である。（ｃ）は、実施例のラベルの熱融着部を示す平面図であり、（ｄ）は、その構成を示す断面図である。
【符号の説明】
１０……連続集合鉢体
１００……連続集合鉢
２００……ラベル
２１０……外側紙層
２１１，２２１……生分解性プラスチック
２２０……内側紙層
２３０……熱融着部
２４０……未接着部
【図１】
0003589754.tif 000002